(57)【特許請求の範囲】
【請求項１】
ノック棒のノック操作により該ノック棒に接続されたリフィールの筆記先端部をスプリングの付勢に抗して軸筒先端から突出させるとともに、クリップの玉部を軸筒の求心方向に押動することで前記突出状態を解除するノック式ボールペンにおいて、
前記軸筒の周壁には、クリップの玉部が入出可能な貫通孔である第一窓部と、該窓部より後方でかつクリップ内面と対面しない位置に形成された第二窓部とを有し、
前記ノック棒には、弾性的に撓むことで前記第一窓部に係脱可能な第一突起と、弾性的に撓むことで前記第二窓部に係脱可能な第二突起とを有し、
前記ノック棒の押動により、前記第二突起を前記第二窓部内でスライドさせて、前記第一突起を前記第一窓部の後端縁に係合させるとともに、前記第一突起が軸筒の求心方向に押動されたクリップの玉部に押されて第一窓部から離脱したときに第二窓部の後端縁に第二突起を係合させることを特徴とするノック式ボールペン。
【請求項２】
前記ノック棒は、その前側部位にリフィール係合部を有するとともに、該リフィール係合部から後方側に延出された第一片部を有し、
該第一片部は、後方側に延出されたその端部に、遠心方向に突出する前記第一突起を有し、弾性的に撓むことで、前記第一突起を前記第一窓部に係脱させるように形成されていることを特徴とする請求項１記載のノック式ボールペン。
【請求項３】
軸筒外面の後部側には、軸心を挟んで略平行状な二つの握り面を形成し、これら二つの握り面の内、一方の握り面がクリップ側の軸筒外面に配置され、他方の握り面が前記クリップの無い側の軸筒外面に配置され、
各握り面は、前記軸筒の周面よりも小さな曲率の周方向の曲面で形成されて、平面視上の周端部が軸筒の周面よりも段付き状にもり上り、且つ、前記周端部の前端部側が更にもり上がって形成されていることを特徴とする請求項１又は２記載のノック式ボールペン。
【発明の詳細な説明】
【０００１】
【発明の属する技術分野】
本発明は、筆記先端部が出没するノック式ボールペンに関し、特にリフィールを交換可能なノック式ボールペンに関するものである。
【０００２】
【従来の技術】
従来、ノック式ボールペンには、ノック棒のノック操作により筆記先端部を軸筒先端から突出させるとともに、クリップの玉部を軸筒の求心方向に押動することで前記突出状態を解除できるように構成したものがある。
このノック式ボールペンは、図８に示すように、クリップ１０１裏面に対面する軸筒１０５周壁に、軸方向に並ぶ二つの窓部１０２，１０３が形成され、ノック棒１１０に形成された突起１１１を前方側の前記窓部１０２に係合させることで筆記先端部１０４の突出状態を維持し、クリップ１０１前端を軸筒１０５の求心方向に押動することで前記突起１１１と前記窓部１０２との係合を外すとともに、同突起１１１を後方側の前記窓部１０３に係合させて筆記先端部１０４の没入状態を維持するものであった。従って、リフィール交換のためにノック棒１１０を引き抜くには、前記没入状態にある後方側の窓部１０３内の突起１１１を外部から押して、該突起１１１の窓部１０３への係合を外す必要があった。
【０００３】
しかしながら、後方側の窓部１０３はクリップ１０１の裏側に位置するため、先細状の工具で押すにしてもクリップ１０１が邪魔になり作業がし難かった。従って、通常この種のボールペンは、リフィール交換のできない使い捨てのノック式ボールペンとして用いる場合が多かった。
【０００４】
【発明が解決しようとする課題】
本発明は上記従来事情に鑑みてなされたものであり、その目的とする処は、リフィールの交換を容易に行うことができるノック式ボールペンを提供することにある。
【０００５】
【課題を解決するための手段】
上記課題を解決するための本発明の技術的手段は、ノック棒のノック操作により該ノック棒に接続されたリフィールの筆記先端部をスプリングの付勢に抗して軸筒先端から突出させるとともに、クリップの玉部を軸筒の求心方向に押動することで前記突出状態を解除するノック式ボールペンにおいて、前記軸筒の周壁には、クリップの玉部が入出可能な貫通孔である第一窓部と、該窓部より後方でかつクリップ内面と対面しない位置に形成された第二窓部とを有し、前記ノック棒には、弾性的に撓むことで前記第一窓部に係脱可能な第一突起と、弾性的に撓むことで前記第二窓部に係脱可能な第二突起とを有し、前記ノック棒の押動により、前記第二突起を前記第二窓部内でスライドさせて、前記第一突起を前記第一窓部の後端縁に係合させるとともに、前記第一突起が軸筒の求心方向に押動されたクリップの玉部に押されて第一窓部から離脱したときに第二窓部の後端縁に第二突起を係合させることを特徴とする。
上記技術的手段によれば、リフィールを交換する際、筆記先端部の突出状態が解除された状態で、第二窓部内に位置する第二突起を指先で外部から軸筒の求心方向に押動する。この際、第二窓部がクリップ内面と対面しない位置に形成されているため、第二突起を押す指先がクリップによって妨げられることがない。そして、第二突起と第二窓部との係合が外れて、リフィール及びノック棒はスプリングの付勢により後方側に移動する。従って、ノック棒の後端側を摘んで該ノック棒及びリフィールを軸筒の内外に入出でき、ノック棒へのリフィールの着脱によりリフィール交換が可能となる。
【０００６】
【発明の実施の形態】
本発明に係る実施の形態は、軸筒内面には、上記第一窓部の後方側に、上記第一突起を軸方向に導く案内溝を形成している。
この形態によれば、先端側にリフィールを接続したノック棒を軸筒内に装着する際、第一突起が軸筒内に挿入された時点でノック棒を周方向に回せば、第一突起が案内溝に係合するので、周方向の位置合わせとなる。その状態のまま、ノック棒を更に前方に押動させれば、第二突起が第二窓部に係合し、リフィール及びノック棒が軸筒に完全に装着された状態となる。
【０００７】
更には、軸筒外面の後部側には、軸心を挟んで略平行状な握り面を形成している。
この形態によれば、軸筒外面に平行状の握り面を有するため、クリップの玉部を押動する解除操作の際、クリップ前端の位置を、目視しなくても軸筒を握った感触により把握することができる。その上、軸筒を握った際、軸筒が手の中で周方向に滑ることなく安定するためノック操作及び解除操作がし易い。
【０００８】
以下、本発明の実施の形態を図面に基づいて説明する。
図１乃至図５は、本発明に係るノック式ボールペンの一例を示している。
このノック式ボールペンＡは、先端側の先口１１及び後端側のクリップ１２を一体成形してなる軸筒１０内に、スプリング２により後方に付勢されているリフィール２０と、該リフィール２０の後端部に着脱可能に接続されたノック棒３０とを備え、ノック棒３０のノック操作によりリフィール２０の筆記先端部２１ａをスプリング２の付勢に抗して軸筒１０の先端から突出させるとともに、クリップ１２の玉部１２ａを軸筒１０の求心方向に押動することで前記突出状態が解除されるように構成されている。
【０００９】
軸筒１０は、その周壁に、クリップ１２の玉部１２ａに対応させて第一窓部１３を形成するとともに、該窓部１３より後方でかつクリップ１２内面と対面しない位置に第二窓部１４を形成している。そして、この軸筒１０内面における前記第一窓部１３の後方側には、後述するノック棒３０の第一突起３１ａを軸方向に導く案内溝１５が形成されている。
【００１０】
また、軸筒１０の前端側外周には、筆記時の滑り止め及び把持感触の向上のためにエラストマー樹脂等の弾性材料からなるグリップ１が嵌め込まれ、そのグリップ１後方側における軸筒１０外面には、握り面１６，１６が形成されている。
この握り面１６，１６は、クリップ１２の玉部１２ａを押動する解除操作の際、クリップ１２前端の位置を、目視しなくても軸筒１０を握った感触により把握できるようにするとともに、軸筒１０が握られた際に、該軸筒１０を手の中で周方向に滑らすことがないように安定させる。
【００１１】
第一窓部１３は、その外側からクリップ１２の玉部１２ａを入出可能で、且つ、その内側からは後述するノック棒３０の第一突起３１ａを係脱可能な貫通孔である。
【００１２】
また、第二窓部１４は、その内側から後述するノック棒３０の第二突起３２ａを係脱可能で、且つ、筆記先端部２１ａの出没に伴いノック棒３０が押動した際に、係合した状態の第二突起３２ａを前後にスライドさせる軸方向の長孔である。
【００１３】
尚、第二窓部１４は、図示例では、第一窓部１３の貫通方向に対し略９０度回転した方向に貫通されているが、クリップ１２内面と対面しない軸筒１０の周壁上であれば、前記配置に限定されるものでない。
【００１４】
案内溝１５は、軸筒１０の内面において第一窓部１３の後方側から軸筒１０の後端部まで連続する軸方向の溝であり、筆記先端部２１ａの没入状態（図２（ｂ）参照）では、該案内溝１５の前端側にノック棒３０の第一突起３１ａが嵌る。
【００１５】
握り面１６，１６は、図６（ａ）（ｂ）及び図７（イ）乃至（ニ）に詳細に示すように、軸筒１０の後部側に軸心を挟んで略平行状に形成され、これら二つの握り面１６，１６の内、一方の握り面１６がクリップ１２側の軸筒１０外面に配置され、他方の握り面１６が前記クリップ１２が無い側の軸筒１０外面に配置されている。
そして、各握り面１６は、軸筒１０の周面よりも小さな曲率の周方向の曲面で形成されて（図７（イ）乃至（ニ）参照）、平面視上の周端部１６ａが軸筒１０の周面よりも段付き状にもり上り、且つ、前記周端部１６ａの前端部１６ａ−１側が更に若干もり上がって形成されている（図６（ａ），（ｂ）参照）。従って、該握り面１６は、クリップ１２の前端の位置を、目視しなくても軸筒１０を握った感触により把握させる上、軸筒１０を手の中で周方向に滑らせることなく安定させる。
【００１６】
リフィール２０は、インク収容管２２の先端に、転写ボールを抱持した筆記先端部２１ａを有するチップ２１を嵌着してなり、インク収容管２２前端側に左右（図１における左右）に突出形成された凸部２２ａ，２２ａと軸筒１０の内周面の前端側に形成された段部１０ａとの間にスプリング２を介在させることで、後方に付勢された状態に軸筒１０内に収容されている。
【００１７】
ノック棒３０は、リフィール係合部３３と第一片部３１とを有する前側部位３０ａに、第二片部３２を有する略中空円柱状の後側部位３０ｂを一体に成形してなる。
【００１８】
リフィール係合部３３は、その内面にリフィール２０の後端部を着脱可能に嵌合する略筒状に形成され、その周壁におけるクリップ１２側の部位が後方側に延出されて第一片部３１を構成している。
【００１９】
第一片部３１は、前記リフィール係合部３３から後方側に延出されたその端部に、遠心方向に突出する第一突起３１ａを有し、弾性的に撓むことで、該第一突起３１ａを第一窓部１３に係脱させるように形成されている。
第一突起３１ａは、その前端側に案内斜面３１ａ−１を形成している。この案内斜面３１ａ−１は、ノック棒３０が軸筒１０内に挿入される際に、軸筒１０の後端内縁に案内されることで、第一片部３１を弾性的に撓ませ、また、ノック棒３０のノック操作により第一突起３１ａが案内溝１５内から第一窓部１３内に移動する際にも、案内溝１５の前端面に案内されることで、第一片部３１を弾性的に撓ませるものである。
【００２０】
第二片部３２は、弾性的に撓むようにノック棒３０の後側部位３０ｂの周壁に略Ｕ字状に形成され、弾性的に撓む端部側には、軸筒１０の第二窓部１４に係脱可能な第二突起３２ａを形成している。
第二突起３２ａは、その前端側に案内斜面３２ａ−１を形成している。この案内斜面３２ａ−１は、ノック棒３０が軸筒１０内に挿入される際に、軸筒１０の後端内縁に案内されることで、第二片部３２を弾性的に撓ませるものである。
【００２１】
尚、ノック棒３０の後側部位３０ｂの後端側には、径方向に貫通した吊るし孔３４が形成されている。この吊るし孔３４は、紐等を通すことでノック式ボールペンＡを吊るすためのものである。
【００２２】
而して、上記構成のノック式ボールペンＡによれば、筆記先端部２１ａを突出させる際、ノック棒３０を前方に押動すれば、筆記先端部２１ａが突出するとともに、第一片部３１の第一突起３１ａが第一窓部１３の後端縁に係合して、筆記可能な突出状態が維持される（図１参照）。
また、その状態でクリップ１２を軸筒１０の求心方向に押動すれば、クリップ１２の玉部１２ａが第一片部３１の第一突起３１ａを押し、第一突起３１ａと第一窓部１３との係合が外されることで前記突出状態が解除され、スプリング２の付勢によりリフィール２０及びノック棒３０が後方に移動する。そして、第一片部３１の第一突起３１ａが案内溝１５内に嵌るとともに、第二片部３２の第二突起３２ａが第二窓部１４の後端縁に係合して、筆記先端部２１ａの没入状態が維持される（図２（ａ）及び（ｂ）参照）。
従って、上記筆記先端部２１ａの出没動作の際、第二片部３２の第二突起３２ａは、リフィール２０及びノック棒３０の前後の押動に伴って第二窓部１４内で前後にスライドすることになる。
【００２３】
また、リフィール２０を交換する際には、筆記先端部２１ａの突出状態が解除された状態（図２（ｂ）に示す状態）で、第二窓部１４内に位置する第二突起３２ａを外部から軸筒１０の求心方向に押動する（図３（ａ）参照）。すると、第二突起３２ａと第二窓部１４との係合が外れる（図３（ｂ）参照）。従って、リフィール２０及びノック棒３０は、スプリング２の付勢により後方に移動し、ノック棒３０の後端側が摘まれて軸筒の外部に引出される。
【００２４】
そして、リフィール交換された後、先端側にリフィール２０を接続したノック棒３０を軸筒１０内に挿入するには、図４に示すように、ノック棒３０の第一突起３１ａが軸筒１０の案内溝１５に案内されるようにする。この際、図示のように第一突起３１ａの周方向の向きと案内溝１５の周方向の向きが一致していなかった場合でも、第一片部３１が弾性的に撓むことで、該第一片部３１の第一突起３１ａが軸筒１０内に挿入され、その時点でノック棒３０を周方向に回せば、第一突起３１ａが案内溝１５に係合するので、周方向の位置合わせが行われる。そして、ノック棒３０を更に前方に押動すれば、第二片部３２が弾性的に撓むことで、該第二片部３２の第二突起３２ａが軸筒１０内に挿入されて第二窓部１４に係合する（図５（ａ）乃至（ｃ）参照）。よって、リフィール２０及びノック棒３０が軸筒１０内に完全に装着された状態となる。
【００２５】
上記実施の形態によれば、軸筒からリフィール及びノック棒を外す際、クリップ内面と対面しない部位に配置された第二窓部内の第二突起を外部から押せばよいため、リフィールの交換を容易に行うことができる。
しかも、軸筒内面には、第一窓部の後方側に、第一突起を係合させる軸方向の案内溝を形成すれば、第一突起の周方向の位置合わせが案内溝への係合により行えるため、目視確認することなく手の感触だけでリフィール及びノック棒を軸筒内に正確に装着でき、リフィール交換が更に容易になる。
更に、クリップ前方側における軸筒外面は、軸心を挟んで略平行状な握り面を形成すれば、クリップの玉部を押動する解除操作の際、クリップ前端の位置を、目視しなくても軸筒を握った感触により把握することができる。その上、軸筒を握った際、軸筒が手の中で周方向に滑ることなく安定するためノック操作及び解除操作がし易い。
【図面の簡単な説明】
【図１】  本発明に係るノック式ボールペンの一例を示す縦断面図。
【図２】  筆記先端部の突出状態を解除する動作を示す縦断面図であり、（ａ）は、筆記先端部の突出状態を解除している状態、（ｂ）は、筆記先端部が没入された状態を示す。
【図３】  リフィール及びノック棒を取外す動作を示す縦断面図であり、（ａ）は、第二突起が外部から押されている状態、（ｂ）は、リフィール及びノック棒が後方に移動した状態を示す。
【図４】  リフィール及びノック棒を軸筒に装着しようとしている状態を示す縦断面図。
【図５】  リフィール及びノック棒を軸筒に装着している状態を示す縦断面図であり、（ａ）は、ノック棒の前端部が軸筒内に挿入された状態を示し、（ｂ）は、第二突起が軸筒内に挿入される状態を示し、（ｃ）は、第二突起が第二窓部に係合した状態を示す。
【図６】  同ノック式ボールペンの要部外観形状を示し、（ａ）は正面図、（ｂ）は平面図。
【図７】  （イ）は図６におけるイ−イ線端面図、（ロ）は図６におけるロ−ロ線端面図、（ハ）は図６におけるハ−ハ線端面図、（ニ）は図６におけるニ−ニ線端面図。
【図８】  従来のノック式ボールペンの一例を示す縦断面図であり、（ａ）は、筆記先端部の突出状態を示し、（ｂ）は、筆記先端部の没入状態を示す。
【符号の説明】
１０：軸筒                    １２：クリップ
１２ａ：玉部                  １３：第一窓部
１４：第二窓部                １５：案内溝
１６：握り面                  ２１：筆記先端部
３０：ノック棒                ３１：第一片部
３１ａ：第一突起              ３２：第二片部
３２ａ：第二突起              Ａ：ノック式ボールペン
【図１】
0004588838.tif 000002
【図２】
0004588838.tif 000003
【図３】
0004588838.tif 000004
【図４】
0004588838.tif 000005
【図５】
0004588838.tif 000006
【図６】
0004588838.tif 000007
【図７】
0004588838.tif 000008
【図８】
0004588838.tif 000009